(57)【要約】 【課題】  操作部材により弁部材を連通状態または非連通状態に確実にでき、操作部材の操作時に塵落し装置の誤動作を防止でる清掃機の吸引ダクト切換装置を提供するものである。【解決手段】  ブロワとフィルタ室を連通する連通状態、または、ブロワと大気中を連通する非連通状態とする弁部材をリンク部材４３を介して操作部材３４に連結する。その操作部材３４を支持軸４７により、弁部材を連通状態とする第１位置と非連通状態とする第２位置Ｂ間に回動操作可能に支持すると共に、その回動方向と直交する、第２位置Ｂと塵落し装置を作動する第３位置Ｃ間に傾動操作可能に支持する。【選択図】  図８
2006336344.tif 000002
【特許請求の範囲】
【請求項１】
ホッパ室の空気をブロワによりフィルタ及び吸引ダクトを通して吸引し、空気中の塵埃をフィルタで除去し、フィルタに付着した塵埃を塵落し装置により振り落とすように構成された清掃機において、ブロワをフィルタ室に連通させる連通状態とブロワをフィルタ室と非通とする非連通状態に切換える弁部材と、手動により第１位置と第２位置に回動切換え可能に軸支すると共に第２位置と第３位置に傾動可能に設けた操作部材とを備え、操作部材と弁部材を操作部材の第１位置で弁部材が連通状態になり、操作部材の第２位置で弁部材が非連通状態となるようにリンク部材で連結し、前記操作部材を第３位置から第２位置に自動復帰させると共に第２位置に姿勢を保持させる姿勢復帰部材を設け、更に、操作部材が第３位置に位置した時に塵落し装置を作動させるスイッチを備え、操作部材を第２位置で第３位置に回動方向と直交する方向へ傾動させて塵落し装置を作動させるようにしたことを特徴とする清掃機の吸引ダクト切換装置。
【請求項２】
吸引ダクトに連結した弁本体に大気中に連通する孔とフィルタ室に連通する孔を設けると共に２つの孔を選択的に開閉する弁部材を軸支して成ることを特徴とする請求項１に記載の清掃機の吸引ダクト切換装置。
【請求項３】
操作部材に設けた支持孔を支持軸に挿通させて操作部材を支持軸により回動可能に支持し、操作部材の支持孔を操作部材が回動方向と直交する方向に傾動可能なように支持軸径より大径に形成し、支持軸に設けた姿勢保持部材に操作部材を圧接して姿勢復帰させる復帰ばねを支持軸に外装して姿勢復帰部材を構成して成ることを特徴とする請求項１または２記載の清掃機の吸引ダクト切換装置。
【請求項４】
操作部材とリンク部材の連結部及びリンク部材と弁部材の連結部に操作部材の傾動を許容する遊びを設けたことを特徴とする請求項１から３何れか１項記載の清掃機の吸引ダクト切換装置。
【発明の詳細な説明】
【技術分野】
【０００１】
この発明は、清掃機において、フィルタ室とブロワとを接続する吸引ダクトの開閉を切換える清掃機の吸引ダクト切換装置に係るものである。
【背景技術】
【０００２】
従来の清掃機の吸引ダクト切換装置として特許文献１に開示のものがある。フィルタ室とブロワとを接続する吸引ダクトには吸引ダクトを開閉する弁部材が設けられている。弁部材にはリンク部材を介して操作部材が連結されている。操作部材は、第１位置から第３位置まで回動可能となっており、第１位置で弁部材を開放し、第２位置で弁部材を閉鎖し、第３位置で弁部材の閉鎖状態で塵落し装置を作動させるスイッチをＯＮできるようになっており、１つの操作部材で弁部材の開閉と塵落し装置のスイッチ操作を行えるように構成されている。前記リンク部材は第１スプリングと第２スプリングとから構成されている。第２スプリングは操作部材が第１位置にあるとき弁部材を開放するように付勢し、第２位置にあるとき弁部材を閉鎖するように付勢する。また、第１スプリングは、操作部材が第１位置と第２位置の範囲にあるとき一定の長さを保ち、操作部材を第３位置としたとき伸張し、操作部材を第２位置に復帰させる方向に付勢する。
【特許文献１】特開平１１−９３１２８号公報
【発明の開示】
【発明が解決しようとする課題】
【０００３】
特許文献１に開示の清掃機の吸引ダクト開閉装置では、吸引ダクトを開放状態または閉鎖状態にするため操作部材を第１位置から第２位置に回動する時、誤って第３位置まで回動させてスイッチをＯＮする問題があり、回送時など塵埃の吸引を一時的に止める際に塵落し装置の作動が不要な場合でも塵落し装置を作動させてしまう問題があった。また、第３位置に操作部材を回動する際には第１スプリンが伸張するが、第１スプリングは第２スプリングの張力以上に設定されているため、操作部材を操作するとき大きな操作力を必要とする問題があった。更に、弁部材は吸引ダクトを開閉し、フィルタ室とブロワとを連通、非通とするものであり、非通としたとき吸引ダクトの弁部材によるシール性が悪いと、吸引ダクトと弁部材との間隙によってフィルタ室から空気を吸い込むため、その吸込み気流による騒音が大きくうるさい問題があった。また、間隙からフィルタ室の空気を吸い込むため、塵落し装置を作動して塵をフィルタから落しても、落した塵が吸引され再度フィルタに付着してしまうので塵落し効果が低下する問題があった。
この発明は、弁部材を連通状態または非連通状態とする操作位置に確実に操作部材を位置できると共に、操作部材の操作時に塵落し装置の誤動作を防止でき、また、操作部材の手動操作を容易に行える清掃機の吸引ダクト切換装置を提供するものである。
【課題を解決するための手段】
【０００４】
本発明の清掃機の吸引ダクト切換装置は、ホッパ室の空気をブロワによりフィルタ及び吸引ダクトを通して吸引し、空気中の塵埃をフィルタで除去し、フィルタに付着した塵埃を塵落し装置により振り落とすように構成された清掃機において、ブロワをフィルタ室に連通させる連通状態とブロワをフィルタ室と非通とする非連通状態に切換える弁部材と、手動により第１位置と第２位置に回動切換え可能に軸支すると共に第２位置と第３位置に傾動可能に設けた操作部材とを備え、操作部材と弁部材を操作部材の第１位置で弁部材が連通状態になり、操作部材の第２位置で弁部材が非連通状態となるようにリンク部材で連結し、前記操作部材を第３位置から第２位置に自動復帰させると共に第２位置に姿勢を保持させる姿勢復帰部材を設け、更に、操作部材が第３位置に位置した時に塵落し装置を作動させるスイッチを備え、操作部材を第２位置で第３位置に回動方向と直交する方向へ傾動させて塵落し装置を作動させるようにしたことを特徴とする。
【０００５】
好ましくは、吸引ダクトに連結した弁本体に大気中に連通する孔とフィルタ室に連通する孔を設けると共に２つの孔を選択的に開閉する弁部材を軸支して成ることを特徴とする。
【０００６】
更に、好ましくは、操作部材に設けた支持孔を支持軸に挿通させて操作部材を支持軸により回動可能に支持し、操作部材の支持孔を操作部材が回動方向と直交する方向に傾動可能なように支持軸径より大径に形成し、支持軸に設けた姿勢保持部材に操作部材を圧接して姿勢復帰させる復帰ばねを支持軸に外装して姿勢復帰部材を構成して成ることを特徴とする。
【０００７】
また、操作部材とリンク部材の連結部及びリンク部材と弁部材の連結部に操作部材の傾動を許容する遊びを設けたことを特徴とする。
【発明の効果】
【０００８】
本願の発明によれば、操作部材を第１位置と第２位置に回動切換可能に支持すると共に第２位置と第３位置に操作部材の回動方向と直行方向に傾動可能とし、操作部材を第１位置と第２位置に回動切換することで、操作部材と連結された弁部材により吸引ダクトを連通状態と非連通状態に切換え、第２位置と第３位置に傾動切換することで塵落し装置を動作させるスイッチをＯＮ、ＯＦＦするので、即ち操作部材の第１位置と第２位置間の操作方向と第２位置と第３位置間の操作方向が９０°異なるので、操作部材の回動操作時に前記発明が解決しようとする課題に記載のように誤って塵落し装置を作動することを防止でき、操作部材による各操作を確実に切換えることができる。
【０００９】
また、姿勢復帰部材により第３位置の操作部材を第２位置に自動復帰し、第２位置に保持される。この自動復帰は姿勢復帰部材の復帰ばねにより姿勢保持部材に付勢されて行われるが、復帰ばねの付勢力は姿勢保持部材に操作部材を圧接できるだけの小さな力で良く、操作部材を小さな操作力で操作できて手動操作を容易に行える。
【００１０】
また、吸引ダクトを大気中に連通する孔とフィルタ室に連通する孔を弁部材により選択的に開閉するから、弁部材によりフィルタ室とブロワを閉鎖すると吸引ダクトを大気中に連通するので、弁部材による吸引ダクトのシール性が高くなくても、吸引ダクトを大気中に連通する孔から空気が優先して吸われるので、弁部材によりフィルタ室に連通する孔が密閉されずその間に形成された狭い間隙から空気が吸引されるときの大きな音がせず、また、フィルタ室からブロワへの吸引気流が生じないので塵落し装置によりフィルタから落された塵埃が再びフィルタに付着することを防止することができ、塵落し効果が良い。
【発明を実施するための最良の形態】
【００１１】
次に、本発明の一実施形態について図１〜図９により説明する。図１は清掃機としての路面清掃車１の全体的な構成を示すものである。路面清掃車１は、車体２の前後に前輪３と後輪４が設けられており、前輪３の側方には塵埃を掃き集めるサイドブラシ５が設けられており、後輪４の前方にはサイドブラシ５によって掃き集められた塵埃をメインブラシ６とエレベータ７とにより車体後部のホッパ８のホッパ室（塵埃回収室）９内に掃き上げて回収する掃き上げ装置１０が備えられている。ホッパ８は、ホッパ室９の上方にフィルタ室１１を有しており、フィルタ室１１は吸引ダクト１２を介してブロワ１３に連通している。フィルタ室１１には、フィルタ１４と塵落し装置１５とから構成されるフィルタ装置１６が備えられている。フィルタ装置１６は特開２００２−９５６１５号に開示のものと略同様な構成である。フィルタ１４はブロワ１３により吸引されたホッパ室９内の汚濁空気中の塵埃を除去する。塵落し装置１５は、モータにより偏心ウェイトを回転させてブラケットを振動させ、フィルタ全体を加振してフィルタに付着した塵埃を振るい落とすようになっている。
【００１２】
また、路面清掃車１には、図２以下に示す吸引ダクト切換装置１７が設けられており、次に吸引ダクト切換装置１７について説明する。図１、図２に示すように、吸引ダクト１２とフィルタ室１１とは弁本体１８を介して接続されている。図４に示すように、弁本体１８のダクト連結部１９には吸引ダクト１２に連通する孔２０が形成され、ホッパ接続部２１にはフィルタ室１１に連通する孔２２が形成されている。弁本体１８の車体２前後方向前側面は開口しており、フィルタ室１１に連通する孔２２に略直交する大気中に連通する孔２３と成っている。弁本体１８は、ダクト連結部１９が吸引ダクト１２と接続され、ホッパ接続部２１に取付けられたシール部材２４にホッパ８の吸込み口２５を圧接した状態でホッパ接続部２１がフィルタ室１１と接続されており、吸引ダクト１２とフィルタ室１１とを連通している。弁本体１８は車体２に立設されたブラケット２６にブラケット２６の長孔２７により位置調整可能に螺着されている（図４）。
【００１３】
弁本体１８には、図５に示すように、車幅方向の両側壁２８，２８間に回動軸２９が軸支されており、図５に示すように、回動軸２９の一端が弁本体１８の側壁２８より側方に伸びており、図４に示すように、その回動軸２９の一端には揺動部材３０の一端が固定されている。揺動部材３０の他端には位置保持ばね３１の一端が接続される接続軸としての接続ボルト３２が螺着されている。隔壁４６には位置保持ばね３１の他端が接続される接続ボルト３３が螺着されている。これら接続ボルト３２，３３間に位置保持ばね３１が張架されており、位置保持ばね３１は後述の操作部材３４を弁部材３５を介して第１位置Ａまたは第２位置Ｂの何れかに保持する。回動軸２９には弁部材３５の内側プレート３６の上端部分が溶着されており、弁部材３５が回動軸２９を中心として回動することで大気中に連通する孔２３とフィルタ室１１に連通する孔２２を選択的に開閉可能となっている。弁部材３５は図４に示すように内側プレート３６と外側プレート３７との間にゴム製のシール部材３８を挟み込み、複数の挟着ボルト３９により螺着してある。
【００１４】
シール部材３８は、その外周部が内、外側プレート３６，３７の外周より外側に伸びており、弁部材３５が図２の如く弁本体１８のフィルタ室１１に連通する孔２２を開放し、大気中に連通する孔２３を閉鎖する連通状態にあるとき、シール部材３８の外周部が弁本体１８の大気中に連通する孔２３の内周面に圧接して密閉した状態となり、弁部材３５は吸引ダクト１２を大気中と遮断し、また、弁部材３５が図３の如く弁本体１８のフィルタ室１１に連通する孔２２を閉鎖し、大気中に連通する孔２３を開放する非連通状態にあるとき、シール部材３８がフィルタ室１１に連通する孔２２を閉状態として、弁部材３５は吸引ダクト１２をフィルタ室１１と遮断するように構成されている。内側プレート３６の上端部分の内側面は回動軸２９に溶着されており、外側面には連結部材４０が垂設され、シール部材３８と外側プレート３７に形成された四角孔４１，４２を挿通している。この連結部材４０は、リンク部材４３に含まれる第１リンク４４の一端と相対回動可能に連結されている。
【００１５】
路面清掃車１の運転席４５の近傍には、図１に示すように、操作部材（操作レバー）３４が設けられている。隔壁４６には、図７〜図９に示すように、支持軸４７の一端が固着されている。支持軸４７の他端には姿勢保持部材４８が設けられており、姿勢保持部材４８は支持軸４７より大径に形成され、鍔部４９を備えている。操作部材３４は、中間部に支持軸４７の外径より大径の支持孔５０が形成されており、支持孔５０を支持軸４７に挿通させて支持軸４７により回動可能に支持されている。その支持孔５０は、操作部材３４の回動方向と直交する方向（即ち車幅方向）に操作部材３４を傾動可能としている。支持軸４７には、隔壁４６と操作部材３４間に位置するように復帰ばね５１を外装してある。復帰ばね５１は、回動方向と直交する方向に傾動した操作部材３４を姿勢保持部材４８の鍔部４９に圧接して姿勢を復帰させるものであり、姿勢保持部材４８とにより姿勢復帰部材５２を構成している。操作部材３４の下端は、リンク部材４３に含まれる第２リンク５３の一端と相対的に回動可能に連結されている。第２リンク５３の他端は前記第１リンク４４の他端の長孔５４にリンク部材長手方向に位置調整可能に連結されている。操作部材３４と第２リンク５３の連結部及び第１リンク４４と連結部材４０の連結部、または、操作部材３４と第２リンク５３の連結部または第１リンク４４と連結部材４０の連結部の何れかには、操作部材３４の傾動を許容する遊び、即ち遊隙を備えている。
【００１６】
上述の構造により操作部材３４は、リンク部材４３を介して弁部材３５と連結されることで、図２に示すように弁部材３５を大気中に連通する孔２３を閉鎖しフィルタ室１１に連通する孔２２を開放する位置としブロワ１３とフィルタ室１１とを連通させる連通状態に切換える第１位置Ａと、図３に示すように弁部材３５を大気中に連通する孔２３を開放しフィルタ室１１に連通する孔２２を閉鎖する位置としブロワ１３とフィルタ室１１とを非通とする非連通状態に切換える第２位置Ｂに回動切換可能となっている。また、操作部材３４は、復帰ばね５１の付勢力に抗して、第２位置Ｂから図８に二点鎖線で示すように塵落し装置１５を作動させるスイッチ５５のアクチュエータ５６を押し曲げＯＮとする第３位置Ｃに傾動可能となっており、第３位置Ｃから第２位置Ｂへは前記復帰ばね５１により自動復帰され、復帰ばね５１と姿勢保持部材４８とで第２位置Ｂに姿勢が保持される。
【００１７】
隔壁４６には、ガイド部材５７が設けられている。ガイド部材５７の下面は、図６に示すように、前記スイッチ５５が設けられている。また、ガイド部材５７には、図７、図８に示すように、ガイド孔５８が形成されており、ガイド孔５８は、操作部材３４を回動方向に第１位置Ａと第２位置Ｂとの間で案内し操作部材３４の軸部３４ａと略同じ幅の回動方向ガイド部５９と、操作部材３４を回動方向と直交する方向に第２位置Ｂと第３位置Ｃとの間で案内する傾動方向ガイド部６０とを備えている。このガイド孔５８により操作部材３４を第１位置Ａと第２位置Ｂと第３位置Ｃに手動で操作したとき、操作部材３４はガイド孔５８の第１位置側端５９ａと第２位置側端５９ｂと第３位置側端６０ａにより回動及び傾動が規制される。
【００１８】
図２に示すように、操作部材３４を第１位置Ａに手動操作した場合、弁部材３５は連通状態となる。このとき位置保持ばね３１は揺動部材３０をデッドポイントを超えた位置から図２において大気中に連通する孔２３方向（時計方向）に付勢することで、弁部材３５を大気と連通する孔２３を閉鎖する方向に付勢すると共に操作部材３４を回動方向ガイド部５９の第１位置側端５９ａに向けて付勢し、操作部材３４が第１位置側端５９ａに当接し弁部材３５を連通状態に保持する。この状態ではブロワ１３の作動によりホッパ室９内の空気が吸引される。
【００１９】
次に操作部材３４を第１位置Ａから第２位置Ｂに手動により回動操作した場合、弁部材３５は非連通状態となる。このとき位置保持ばね３１は揺動部材３０をデッドポイントを超えた位置から図３においてフィルタ室１１に連通する孔２２方向（反時計方向）に付勢することで、弁部材３５をフィルタ室１１と連通する孔２２を閉鎖する方向に付勢すると共に操作部材３４を回動方向ガイド部５９の第２位置側端５９ｂに向けて付勢し、弁部材３５を非連通状態に保持する。この状態ではブロワ１３は大気と連通する孔２３から優先して大気を吸引することとなり、ホッパ室９内の空気が吸引されなくなりホッパ室９内の空気流が静止状態となる。この第２位置Ｂから操作部材３４を第３位置Ｃまで手動で傾動操作すると、操作部材３４がアクチュエータ５６を押しスイッチ５５をＯＮとし、塵落し装置１５を作動させフィルタ１４から塵埃が効率的に振るい落される。操作部材３４から手を離すと、操作部材３４は姿勢復帰部材５２により第３位置Ｃから第２位置Ｂに自動復帰されて第２位置Ｂで姿勢が保持され、操作部材３４がアクチュエータ５６から離れることでスイッチ５５がＯＦＦとされて塵落し装置１５が停止される。
【図面の簡単な説明】
【００２０】
【図１】本願発明の吸引ダクト切換装置を備えた路面清掃車を示す説明図である。
【図２】吸引ダクト切換装置を連通状態で示す側面図である。
【図３】吸引ダクト切換装置を非連通状態で示す側面図である。
【図４】弁本体を示す側面図である。
【図５】弁本体を示す平面図である。
【図６】操作部材を示す側面図である。
【図７】図６のＶＩＩ視図である。
【図８】操作部材を第２位置とした平面図である。
【図９】操作部材を第３位置とした拡大平面図である。
【符号の説明】
【００２１】
１  路面清掃車（清掃機）
９  ホッパ室
１１  フィルタ室
１２  吸引ダクト
１３  ブロワ
１４  フィルタ
１５  塵落し装置
１７  吸引ダクト切換装置
１８  弁本体
２２  フィルタ室に連通する孔
２３  大気中に連通する孔
３４  操作部材
３５  弁部材
４３  リンク部材
４７  支持軸
４８  姿勢保持部材
５０  支持孔
５１  復帰ばね
５２  姿勢復帰部材
５５  スイッチ
Ａ  第１位置
Ｂ  第２位置
Ｃ  第３位置
【図１】
2006336344.tif 000003
【図２】
2006336344.tif 000004
【図３】
2006336344.tif 000005
【図４】
2006336344.tif 000006
【図５】
2006336344.tif 000007
【図６】
2006336344.tif 000008
【図７】
2006336344.tif 000009
【図８】
2006336344.tif 000010
【図９】
2006336344.tif 000011